(57)【要約】      （修正有）【課題】睫毛部分以外の本来必要ない部分へのマスカラ化粧材の付着防止を実現し得るマスカラブラシを提供する。【解決手段】マスカラブラシ１は、把持部３と、マスカラ化粧材Ｌを付着させるブラシ部４との間を、把持部３を一端に取り付けた第１連結棒体６、第２連結棒体７、第１連結棒体６と第２連結棒体７とを回動可能に連結するクリック機構を備えた第１回動支持部８により構成する。さらに、第２連結棒体７とブラシ部４の基端部とを回動可能に連結するクリック機構１を備えた第２回動支持部８からなる変形連結具５を介在させつつ連結し、変形連結具５により両クリック機構によるクリック感をもって直線状から二段折り曲げ状に至る各態様に変形可能とする。【選択図】図１
0003154656.tif 000002
【実用新案登録請求の範囲】
【請求項１】
把持部と、マスカラ化粧材を付着させるブラシ部の基端部との間を、複数の連結棒体及び複数の回動支持部からなる変形連結具を介在させつつ連結し、変形連結具により直線状から複数段折り曲げ状に至る各態様に変形可能としたことを特徴とするマスカラブラシ。
【請求項２】
把持部と、マスカラ化粧材を付着させるブラシ部との間を、把持部を一端に取り付けた第１連結棒体、第２連結棒体、第１連結棒体と第２連結棒体とを回動可能に連結する第１回動支持部、及び、第２連結棒体とブラシ部の基端部とを回動可能に連結する第２回動支持部からなる変形連結具を介在させつつ連結し、変形連結具により直線状から二段折り曲げ状に至る各態様に変形可能としたことを特徴とするマスカラブラシ。
【請求項３】
把持部と、マスカラ化粧材を付着させるブラシ部との間を、把持部を一端に取り付けた第１連結棒体、第２連結棒体、第１連結棒体と第２連結棒体とを回動可能に連結するクリック機構を備えた第１回動支持部、及び、第２連結棒体とブラシ部の基端部とを回動可能に連結するクリック機構を備えた第２回動支持部からなる変形連結具を介在させつつ連結し、変形連結具により両クリック機構によるクリック感をもって直線状から二段折り曲げ状に至る各態様に変形可能としたことを特徴とするマスカラブラシ。
【請求項４】
キャップとして機能する把持部と、マスカラ液を含浸させるブラシ部の基端部との間を、複数の連結棒体及び複数の回動支持部からなる変形連結具を介在させつつ連結して、変形連結具により直線状から複数段折り曲げ状に至る各態様に変形可能としたマスカラブラシと、
マスカラ化粧材を内部に収容するとともに、開口側から内底部に向けて直線状とした前記変形連結具及びブラシ部が挿入可能に構成され、前記キャップを開口部分に着脱可能に装着する容器と、
を有することを特徴とするマスカラ化粧具。
【請求項５】
キャップとして機能する把持部と、マスカラ化粧材を付着させるブラシ部との間を、把持部を一端に取り付けた第１連結棒体、第２連結棒体、第１連結棒体と第２連結棒体とを回動可能に連結する第１回動支持部、及び、第２連結棒体とブラシ部の基端部とを回動可能に連結する第２回動支持部からなる変形連結具を介在させつつ連結し、変形連結具により直線状から二段折り曲げ状に至る各態様に変形可能としたマスカラブラシと、
マスカラ化粧材を内部に収容するとともに、開口側から内底部に向けて直線状とした前記変形連結具及びブラシ部が挿入可能に構成され、前記キャップを開口部分に着脱可能に装着する容器と、
を有することを特徴とするマスカラ化粧具。
【請求項６】
キャップとして機能する把持部と、マスカラ化粧材を付着させるブラシ部との間を、把持部を一端に取り付けた第１連結棒体、第２連結棒体、第１連結棒体と第２連結棒体とを回動可能に連結するクリック機構を備えた第１回動支持部、及び、第２連結棒体とブラシ部の基端部とを回動可能に連結するクリック機構を備えた第２回動支持部からなる変形連結具を介在させつつ連結し、変形連結具により両クリック機構によるクリック感をもって直線状から二段折り曲げ状に至る各態様に変形可能としたマスカラブラシと、
マスカラ化粧材を内部に収容するとともに、開口側から内底部に向けて直線状とした前記変形連結具及びブラシ部が挿入可能に構成され、前記キャップを開口部分に着脱可能に装着する容器と、
を有することを特徴とするマスカラ化粧具。
【考案の詳細な説明】
【技術分野】
【０００１】
本考案は、マスカラブラシ及びマスカラ化粧具に関し、詳しくは、目の睫毛部分の化粧を行う際に、この睫毛部分以外の本来必要ない部分（例えば鼻頭、鼻筋等）へのマスカラ化粧材の付着防止を図ったマスカラブラシ及びマスカラ化粧具に関するものである。
【背景技術】
【０００２】
従来知られている目の睫毛部分の化粧に用いられるマスカラブラシは、把持部、マスカラ棒及びブラシ部が一直線状に配置されているものがほとんどである。
【０００３】
このようなマスカラブラシにおいて、使用者が右利きの場合、自己の右目の睫毛部分に例えばマスカラ液を付着させる際にはほとんど問題を生じないものの、左目の睫毛部分にマスカラ液を付着させる場合においては、マスカラ棒の一部が使用者の鼻頭、鼻筋、更には目の周辺の頬等の顔面部分に接触し、これらの部分に既に付着しているマスカラ液が付着して、当該顔面部分を例えば黒色に汚してしまうという不都合が生じていた。
【０００４】
このような事態が生じると、黒色に汚れた部分を修復することが必要となるが、この落色作業は極めて煩雑で多くの時間を浪費することになる。
【０００５】
また、仮にマスカラ液による汚れを除去し得たとしても、マスカラ化粧作業は一連の化粧作業の最後に行うものであることから、当該部分の既に付着し終えた基礎化粧料までも落としてしまうというような事態も生じ、当該部分が異様に光って見える等の不自然な状態を招来してしまう。
【０００６】
特許文献１には、一端をキャップに取り付けたマスカラ棒と、マスカラ棒の他端側のブラシ部との間に、ほぼ９０度に曲る屈折部を設けた構成のマスカラブラシが提案されている。
【０００７】
この特許文献１の場合、ブラシ部のみを９０度に曲るようにしたものであり、把持部及びマスカラ棒は一直線状であることは上述した場合と変わらず、特に右利きの使用者が左目の睫毛部分にマスカラ液を付着させる場合に、やはりマスカラ棒の一部が使用者の鼻頭、鼻筋、更には目の周辺の頬等の顔面皮膚部分に接触し、使用者の鼻頭、鼻筋等をマスカラ液で汚すという不都合が生じる恐れがある。
【０００８】
特許文献２には、ブラシ部である毛束を一端に具備し、他端にキャップを具備するロットを備え、このロットを弓なりに反った形状、矩形状、Ｖ字状等の非直線状に形成し、化粧ゾーン近傍に位置する顔面の鼻等の凹凸を回避するように構成したマスカラブラシが提案されている。
【０００９】
この特許文献２の場合、基本的にはロットの形状のみを予め定めた非変形タイプの非直線状に形成したものであり、キャップとブラシ部とは一直線状に存在することから、マスカラ化粧時における顔面の鼻等の凹凸を回避する操作にも限界があるものと推定される。
【００１０】
特許文献３には、柄の先端部に支持具を固着して突出させ、この支持具先端に対しブラシ体を屈曲可能に取り付けた構成の化粧料塗布具が提案されている。
【００１１】
特許文献３の場合も、支持具先端のブラシ体のみを屈曲可能としたものであり、特許文献１の場合と同様な問題を包含している。
【先行技術文献】
【特許文献】
【００１２】
【特許文献１】特開２００４−２２９７１０号公報
【特許文献２】特表平１１−５１２３１０号公報
【特許文献３】特許第３６７７６６３号公報
【考案の概要】
【考案が解決しようとする課題】
【００１３】
本考案が解決しようとする問題点は、睫毛に対するマスカラ化粧時において、マスカラブラシ自体の形状を全体として種々の形状に変形可能として、例えば右利きの使用者が左目の睫毛部分に（又は左利きの使用者が右目の睫毛部分に）マスカラ化粧材を付着させる場合に、この睫毛部分以外の本来必要ない部分へのマスカラ化粧材の付着防止を実現し得るようなマスカラブラシが存在しない点である。
【課題を解決するための手段】
【００１４】
本考案に係るマスカラブラシは、把持部と、マスカラ化粧材を付着させるブラシ部の基端部との間を、複数の連結棒体及び複数の回動支持部からなる変形連結具を介在させつつ連結し、これら各要素を直線状から複数段折り曲げ状に至る各態様に変形可能としたことを最も主要な特徴とする。
【考案の効果】
【００１５】
請求項１記載の考案によれば、直線状から複数段折り曲げ状に至る各態様に変形可能な構成の基に、全体形状が直線状の従来のマスカラブラシを使用してのマスカラ化粧の場合と比較し、睫毛部分以外の本来必要ない鼻頭、鼻筋、更には目の周辺の頬等の部分へのマスカラ化粧材の付着を確実に防止することができるマスカラブラシを実現し提供することができる。
【００１６】
請求項２記載の考案によれば、直線状から二段折り曲げ状に至る各態様に変形可能な構成の基に、全体形状が直線状の従来のマスカラブラシを使用してのマスカラ化粧の場合と比較し、睫毛部分以外の本来必要ない鼻頭、鼻筋、更には目の周辺の頬等の部分へのマスカラ化粧材の付着を確実に防止することができるマスカラブラシを実現し提供することができる。
【００１７】
請求項３記載の考案によれば、請求項２記載の考案と同様な効果を奏するとともに、クリック機構を付加したことにより、変形後の形状の安定性を図ることができ、かつ、変形させる際の操作性も良好なマスカラブラシを実現し提供することができる。
【００１８】
請求項４記載の考案によれば、マスカラブラシにより請求項１記載の効果を発揮し得るとともに、マスカラブラシを着脱可能に装着する容器を備えているので、持ち運びや収納も簡便なマスカラ化粧具を実現し提供することができる。
【００１９】
請求項５記載の考案によれば、マスカラブラシにより請求項２記載の効果を発揮し得るとともに、マスカラブラシを着脱可能に装着する容器を備えているので、持ち運びや収納も簡便なマスカラ化粧具を実現し提供することができる。
【００２０】
請求項６記載の考案によれば、マスカラブラシにより請求項３記載の効果を発揮し得るとともに、マスカラブラシを着脱可能に装着する容器を備えているので、持ち運びや収納も簡便なマスカラ化粧具を実現し提供することができる。
【図面の簡単な説明】
【００２１】
【図１】図１は本考案の実施例に係るマスカラ化粧具の概略断面図である。
【図２】図２は本実施例に係るマスカラブラシの一部を断面として示す拡大図である。
【図３】図３は本実施例に係るマスカラブラシにおける第１回動支持部の側面図である。
【図４】図４は本実施例に係るマスカラブラシの第１回動支持部の断面図である。
【図５】図５は本実施例に係るマスカラブラシの第１回動支持部を構成する第１円板の平面図である。
【図６】図６は本実施例に係るマスカラブラシの第１回動支持部の部分拡大断面図である。
【図７】図７は本実施例に係るマスカラブラシの第２回動支持部の側面図である。
【図８】図８は本実施例に係るマスカラブラシの４つの変形態様を示す説明図である。
【図９】図９は本実施例に係るマスカラブラシの上方から見た使用態様を示す概略図である。
【考案を実施するための形態】
【００２２】
本考案は、マスカラ化粧時において、右利きの使用者が左目の睫毛の部分に（又は左利きの使用者が右目の睫毛部分に）マスカラ化粧材を付着させる場合に、この睫毛部分以外の本来必要ない部分へのマスカラ化粧材の付着防止を実現し得るマスカラブラシを実現し提供するという目的を、把持部と、マスカラ化粧材を付着させるブラシ部との間を、把持部を一端に取り付けた第１連結棒体、第２連結棒体、第１連結棒体と第２連結棒体とを回動可能に連結するクリック機構を備えた第１回動支持部、及び、第２連結棒体とブラシ部の基端部とを回動可能に連結するクリック機構を備えた第２回動支持部からなる変形連結具を介在させつつ連結し、変形連結具により両クリック機構によるクリック感をもって直線状から二段折り曲げ状に至る各態様に変形可能としたことにより実現した。
【実施例】
【００２３】
以下に、本考案の実施例に係るマスカラブラシ及びマスカラ化粧具について図１乃至図９を参照して詳細に説明する。
【００２４】
本実施例に係るマスカラブラシ１は、図１、図２に示すように、睫毛３１に対するマスカラ化粧を行う使用者が指で把持するとともに、後述する容器２に対するキャップとして機能する把持部３と、前記容器２内に挿入することによってマスカラ化粧材Ｌを付着させるために多数の毛を束ねて基端部４ａに取り付けたブラシ部４と、前記把持部３と前記ブラシ部４とを連結し、マスカラブラシ１全体として直線状から二段折り曲げ状に至る各態様に変形可能とする変形連結具５と、を有している。
【００２５】
また、本実施例に係るマスカラ化粧具２０は、図１に示すように、前記マスカラブラシ１と、一端が開口し例えば黒色、茶色、紺色等のマスカラ化粧材Ｌを内部に収納する筒状に形成した例えば合成樹脂材からなる容器２と、を有している。
【００２６】
前記把持部３における第１連結棒体６が突出する側の内周部には、図１、図２に示すように雌ネジ３ａを設け、また、前記容器２の開口側の外周部には、図１に示すように外周ネジ２ａを設け、これにより、前記容器２の開口側から内底部に向けて直線状とした前記変形連結具５及びブラシ部４を挿入して、このブラシ部４にマスカラ化粧材Ｌを付着させるとともに、前記外周ネジ２ａに把持部３の雌ネジ３ａを螺着することで、前記把持部３を容器２に対して着脱可能に装着するように構成している。
【００２７】
前記変形連結具５は、図２、図３及び図４に示すように、前記把持部３を一端に取り付けた第１連結棒体６と、第２連結棒体７と、第１連結棒体６と第の連結棒体７とを回動可能に連結するクリック機構１０を備えた第１回動支持部８、及び、第２連結棒体７と前記ブラシ部４の基端部４ａとを回動可能に連結するクリック機構１０を備えた第２回動支持部９と、を具備している。
【００２８】
前記第１回動支持部８は、図３、図４に示すように、前記第１連結棒体６の他端を外周部に取り付けた円形皿状の第１円板１１と、前記第の連結棒体７の一端を外周部に取り付けた円形の第２円板１２と、前記第１円板１１及び第２円板１２の中心部を貫通させたネジ１３及びこのネジ１３に螺合させるナット１４を具備し、前記第１円板１１及び第２円板１２を接合した状態で、これらを、ネジ１３を中心として相互に回動可能な状態としている。
【００２９】
また、前記第１円板１１の第２円板１２と対向する面には、図５に示すように、ネジ１３を中心とする同心円状に位置する配置で多数の凹部１１ａを一定間隔で形成している。
【００３０】
一方、前記第２円板１２の第１円板１１と対向する面には、図６に拡大して示すように、一つの穴部１２ａが穿設され、この穴部１２ａに一つの出没体１５及びこの出没体１５を前記第１円板１１側に付勢するバネ（コイルバネ）１６を埋設している。前記出没体１５の突出端は、前記凹部１１ａに没入する形状としている。なお、図６において、１７は穴部１２ａの外面を閉塞する蓋体である。
【００３１】
上述した第１円板１１側の凹部１１ａ、第２円板１２側の出没体１５及びバネ１６により、クリック機構１０を構成している。なお、クリック機構１０としては、上述した例に限らず種々の公知の機構を採用し得ることは勿論である。
【００３２】
このクリック機構１０により、前記第１円板１１と第２円板１２とをネジ１３を中心として相互にクリック感をもって操作性良く回動させるようにしている。
【００３３】
前記第２回動支持部９は、前記第１回動支持部８と同様な構造であり、図７に示すように、前記第２連結棒体７の他端を外周部に取り付けた円形皿状の第３円板１８と、前記ブラシ部４の基端部４ａを外周部に取り付けた第４円板１９と、前記第３円板１８及び第４円板１９の中心部を貫通させたネジ２１及びこのネジ２１に螺合させるナット２２を具備し、前記第３円板１８及び第４円板１９を接合した状態で、これらを、ネジ２１を中心として相互に回動可能な状態としている。
【００３４】
また、前記３円板１８及び第４円板１９内に、上述した場合と同様な構造及び作用を有するクリック機構１０を内蔵している。
【００３５】
図８は、上記構成からなる本実施例に係るマスカラブラシ１の変形連結具５による種々の変形形態を示すものである。
【００３６】
すなわち、図８（ａ）は前記把持部３、変形連結具５及びブラシ部４を直線状とした形態を示し、図８（ｂ）は前記把持部３、第１回動支持部８、第１連結棒体６及び第２連結棒体７を直線状とするとともに、第２回動支持部９によりブラシ部４のみを９０度曲げて略Ｌ形状とした形態を示し、図８（ｃ）は前記把持部３、第１連結棒体６を直線状とするとともに、第２連結棒体７、第２回動支持部９及びブラシ部４も直線状とし、かつ、第１回動支持部８により第２連結棒体７、第２回動支持部９、ブラシ部４を曲げて全体として略「く」の字形状とした形態を示している。
【００３７】
更に、図８（ｄ）は前記第１回動支持部８及び第２回動支持部９により、前記把持部３及び第１連結棒体６と、第２連結棒体７と、ブラシ部４とを全体として二段折り曲げ状に変形した形態を示している。
【００３８】
このように、本実施例に係るマスカラブラシ１は、全体形状を、直線状から二段折り曲げ状に至る各態様に変形可能としている。
【００３９】
次に、図９を参照して本実施例に係るマスカラブラシ１による睫毛３１に対するマスカラ化粧の態様について説明する。
【００４０】
例えば、マスカラ化粧を実行しようとする右利きの使用者が、ブラシ部４に自己の左目の睫毛３１の部分にマスカラ化粧材Ｌを付着しようとする場合、まず前記ブラシ部４に容器２内のマスカラ化粧材Ｌを付着させた後、前記マスカラブラシ１を図８（ｄ）で示す二段折り曲げ状に変形させる。
【００４１】
そして、この二段折り曲げ状としたマスカラブラシ１の把持部３を右手の指に持ち、図９に示すように、前記ブラシ部４側を睫毛３１に臨ませ、ブラシ部４に対する第２連結棒体７の折り曲げ及び第２連結棒体７に対する第１連結棒体６の折り曲げを利用して、第２連結棒体７、第１連結棒体６を顔面の鼻部分等から遠ざけつつ左目の睫毛３１の部分にマスカラ化粧材Ｌを付着させる。
【００４２】
このような二段折り曲げ状としたマスカラブラシ１を使用しての睫毛３１に対するマスカラ化粧を実行することにより、全体形状が直線状の従来のマスカラブラシを使用してのマスカラ化粧の場合と比較し、睫毛３１部分以外の本来必要ない鼻頭、鼻筋、更には目の周辺の頬等の部分へのマスカラ化粧材Ｌの付着を確実に防止することができる。
【００４３】
左利きの使用者が、自己の右目の睫毛３１の部分にマスカラ化粧を実行する場合も全く同様である。
【００４４】
また、本実施例に係るマスカラブラシ１によれば、前記変形連結具５により両クリック機構１０によるクリック感をもって前記第１連結棒体６、第２連結棒体７、ブラシ部４を直線状から二段折り曲げ状等に変形できるので、これらの変形後の形状の安定性を図ることができ、かつ、使用者がマスカラブラシ１を所望の形状に変形させる際の操作性も良好となる。
【００４５】
なお、図８（ｃ）で示す略「く」の字形状に変形させたマスカラブラシ１を使用する場合も、上述した効果を期待できる。
【００４６】
前記マスカラブラシ１としては、上述した場合の他、変形連結具５を３段、４段等の更に多段とした構成を採用することも勿論可能である。
【産業上の利用可能性】
【００４７】
本考案のマスカラブラシは、上述した場合の他、目の瞼への化粧を行うアイシャドー化粧具や、アイライナ等に関しても応用可能である。
【符号の説明】
【００４８】
１    マスカラブラシ
２    容器
２ａ  外周ネジ
３    把持部
３ａ  雌ネジ
４    ブラシ部
４ａ  基端部
５    変形連結具
６    第１連結棒体
７    第２連結棒体
８    第１回動支持部
９    第２回動支持部
１０    クリック機構
１１    第１円板
１１ａ  凹部
１２    第２円板
１２ａ  穴部
１３    ネジ
１４    ナット
１５    出没体
１６    バネ
１７    蓋体
１８    第３円板
１９    第４円板
２０    マスカラ化粧具
２１    ネジ
２２    ナット
３１    睫毛
Ｌ    マスカラ化粧材
【図１】
0003154656.tif 000003
【図２】
0003154656.tif 000004
【図３】
0003154656.tif 000005
【図４】
0003154656.tif 000006
【図５】
0003154656.tif 000007
【図６】
0003154656.tif 000008
【図７】
0003154656.tif 000009
【図８】
0003154656.tif 000010
【図９】
0003154656.tif 000011